(57)【要約】【課題】分析装置の測定作業を改善し、効率よく分析測定を行うため、手動測定における手点着作業、消耗品搭載作業で、それぞれの操作モードに応じて機構の移動を制御する。【解決手段】検体およびその測定に必要な乾式分析素子１２を搭載するサンプルトレイ２と、検体を乾式分析素子１２に点着する点着機構６とを備え、乾式分析素子１２に点着した検体の成分濃度を測定する際に、検体を乾式分析素子１２に自動的に点着し測定する自動測定モードに加え、検体を乾式分析素子１２に手操作で点着し測定する手動測定モードを備え、この手動測定モードになったとき、自動測定モードで使用する点着機構６が点着部３の上方よりサンプルトレイ２の上方へ手動操作の妨げにならない待避位置へ移動するよう構成してなる。また、消耗品搭載モードでは、消耗品搭載部が開放部位となるようにサンプルトレイを作動させる。【選択図】          図３
2004286469.tif 000002
【特許請求の範囲】
【請求項１】
検体およびその測定に必要な乾式分析素子を搭載するサンプルトレイと、検体を前記乾式分析素子に点着する点着機構とを備え、前記サンプルトレイに搭載した検体を前記点着機構により乾式分析素子に点着し成分濃度を測定する自動分析装置において、
前記検体を乾式分析素子に自動的に点着し測定する自動測定モードに加え、前記検体を乾式分析素子に手操作で点着し測定する手動測定モードを備え、
手動測定モードになったとき、自動測定モードで使用する前記点着機構が手動操作の妨げにならない待避位置へ移動するよう構成されてなることを特徴とする自動分析装置。
【請求項２】
前記点着機構が点着部の上方位置から側方のサンプルトレイ上の待避位置へ移動することを特徴とする請求項１に記載の自動分析装置。
【請求項３】
検体およびその測定に必要な乾式分析素子並びに消耗品を搭載するサンプルトレイと、検体を前記乾式分析素子に点着する点着機構とを備え、前記サンプルトレイに搭載した検体を前記点着機構により乾式分析素子に点着し成分濃度を測定する自動分析装置において、
前記サンプルトレイに前記消耗品を搭載する消耗品搭載モードを備え、この消耗品搭載モードになったとき、前記サンプルトレイの消耗品搭載部が機器の開放部位に移動するよう構成されてなることを特徴とする自動分析装置。
【請求項４】
前記消耗品搭載部が前面側開放部位に移動することを特徴とする請求項３に記載の自動分析装置。
【発明の詳細な説明】
【０００１】
【発明の属する技術分野】
本発明は、血液、尿等の検体を、比色タイプの乾式分析素子、電解質タイプなどの乾式分析素子に点着し、検体中の所定の生化学物質の物質濃度、イオン活量等の成分を求める生化学分析装置等の自動分析装置に関するものである。
【０００２】
【従来の技術】
従来より、検体の小滴を点着供給するだけでこの検体中に含まれている特定の化学成分または有形成分を定量分析することのできる比色タイプの乾式分析素子や検体に含まれる特定イオンのイオン活量を測定することのできる電解質タイプの乾式分析素子が開発され、実用化されている。これらの乾式分析素子を用いた生化学分析装置は、簡単かつ迅速に検体の分析を行うことができるので、医療機関、研究所等において好適に用いられている。
【０００３】
比色タイプの乾式分析素子を使用する比色測定法は、検体を乾式分析素子に点着した後、これをインキュベータ内で所定時間恒温保持して呈色反応（色素生成反応）させ、次いで検体中の所定の生化学物質と乾式分析素子に含まれる試薬との組み合わせにより予め選定された波長を含む測定用照射光をこの乾式分析素子に照射してその光学濃度を測定し、この光学濃度から、予め求めておいた光学濃度と所定の生化学物質の物質濃度との対応を表す検量線を用いて該生化学物質の濃度を求めるものである。一方、電解質タイプの乾式分析素子を使用する電位差測定法は、上記の光学濃度を測定する代わりに、同種の乾式イオン選択電極の２個１組からなる電極対に点着された検体中に含まれる特定イオンの活量を、参照液を用いてポテンシオメトリで定量分析することにより求めるものである。
【０００４】
上記いずれの方法においても、液状の検体は検体容器（採血管等）に収容して装置にセットするとともに、その測定に必要な乾式分析素子および消耗品を装置に搭載し、乾式分析素子を搭載位置から点着部およびインキュベータへ搬送する一方、点着機構の点着ノズルによって検体を搭載位置から点着部へ供給して乾式分析素子へ点着するものである。
【０００５】
上記自動分析装置においては、多数の検体を順次自動的に測定するように、搭載された検体を乾式分析素子に自動的に点着し、その呈色反応等を測定する自動測定動作が行われるように構成される。また、その測定に使用される消耗品については、吸引ノズルの先端に装着する使い捨てのノズルチップ、希釈液、混合容器等の、検体点着時に使用されて消耗される消耗品が検体とともに、分析装置に搭載される（例えば、特許文献１参照）。
【０００６】
一方、検体数が少なく、例えば１検体の測定を行う場合には、分析装置を自動測定動作させるための設定等が煩雑であることから、または、所定量の検体を自動的に点着する機構は構造が複雑でコストが上昇することから、点着用ピペットを用いて手操作で乾式分析素子への検体の点着を行うようにした分析装置も知られている（例えば、特許文献２参照）。
【０００７】
【特許文献１】
特開平８−９４６３７号公報
【０００８】
【特許文献２】
特開２００１−９９８４２号公報
【０００９】
【発明が解決しようとする課題】
ところで、上記のような自動分析装置では、多数の検体を順次自動的に乾式分析素子に点着し測定する自動測定が行えるとともに、単発的な検体に対しては手動操作で乾式分析素子へ点着し測定する手動測定が行えるように構成することが、それぞれの要求に対応することができる。
【００１０】
このように、自動測定と手動測定の両方が行えるように構成した場合に、自動測定における点着機構は、点着部とサンプルトレイ間を移動可能に設置して、サンプルトレイに搭載した検体を吸引保持して点着位置へ移動し、点着部に搬送された乾式分析素子に上方より接近して点着を行うように設置されるものであり、通常この点着機構は、点着部の上方に停止して待機状態となっている。しかし、この状態で手動操作に切り替えて、点着用ピペットを持って検体を吸引し、点着部に位置する乾式分析素子に点着しようとする場合に、点着部の上方に停止している自動測定用の上記点着機構に点着用ピペットまたは手が干渉して、作業性よく手点着を行うことが困難となる問題を有している。
【００１１】
また、多数の検体の測定を継続して行うと消耗品が減少し、これに応じて所定間隔もしくは始業時などに消耗品の搭載、交換等の作業が必要となり、前述の公知文献１のように、大型の機器では専用の消耗品セット部位が設置されてなるものであるが、小型の機器では専用スペースを確保することは困難で、小型化の障害となる。一方、通常、検体を搭載する作業の頻度が高く、待機状態ではこの検体搭載作業が容易に行えるように検体搭載部が機器の開放位置に移動しているように設定されている。このため、消耗品搭載部が機器の内部に位置することで消耗品搭載の作業性が低くなる問題を有する。
【００１２】
本発明はかかる点に鑑み、測定作業の作業性を改善し、効率よく分析測定が行えるようにした自動分析装置を提供することを目的とするものである。
【００１３】
【課題を解決するための手段】
本発明の自動分析装置は、検体およびその測定に必要な乾式分析素子を搭載するサンプルトレイと、検体を前記乾式分析素子に点着する点着機構を備え、前記サンプルトレイに搭載した検体を前記点着機構により乾式分析素子に点着し成分濃度を測定する自動分析装置において、
前記検体を乾式分析素子に自動的に点着し測定する自動測定モードに加え、前記検体を乾式分析素子に手操作で点着し測定する手動測定モードを備え、手動測定モードになったとき、自動測定モードで使用する前記点着機構が手動操作の妨げにならない待避位置へ移動するよう構成されてなることを特徴とするものである。
【００１４】
前記点着機構が点着部の上方位置から側方のサンプルトレイ上の待避位置へ移動するのが好適である。
【００１５】
また、本発明の他の自動分析装置は、検体およびその測定に必要な乾式分析素子並びに消耗品を搭載するサンプルトレイと、検体を前記乾式分析素子に点着する点着機構とを備え、前記サンプルトレイに搭載した検体を前記点着機構により乾式分析素子に点着し成分濃度を測定する自動分析装置において、
前記サンプルトレイに前記消耗品を搭載する消耗品搭載モードを備え、この消耗品搭載モードになったとき、前記サンプルトレイの消耗品搭載部が機器の開放部位に移動するよう構成されてなることを特徴とするものである。
【００１６】
前記消耗品搭載部が前面側開放部位に移動するのが好適である。
【００１７】
なお、前述の自動測定モード、手動測定モード、および、消耗品搭載モードへの操作モードの切り替えは、操作パネルの操作キーを操作することによって行われ、その指示に従って、制御系では点着機構、サンプルトレイをそれぞれの操作モードに応じて作動する制御を行うようになっている。
【００１８】
【発明の効果】
上記のような本発明によれば、自動測定モードに加えて手動測定モードを備え、手動測定モードになったとき、自動測定モードで使用する点着機構が手動操作の妨げにならない待避位置へ移動するように構成したことにより、点着用ピペットを使用した手点着による手動測定が、自動点着用の機構に阻害されることなく行え、その作業性が良好となり、精度のよい点着操作が可能で、自動測定と手動測定の並設が実施可能となる。
【００１９】
また、サンプルトレイに消耗品を搭載する消耗品搭載モードを備え、この消耗品搭載モードになったとき、サンプルトレイの消耗品搭載部が機器の開放部位に移動するよう構成したことにより、サンプルトレイへの消耗品の搭載が、点着機構等の他の部品に阻害されることなく行え、その作業性が良好となり、測定効率の向上が図れる。
【００２０】
これらにより、手動測定時および消耗品搭載時の操作ミスを防止して操作性が向上し、稼働効率の向上が図れ、故障の発生要因となることもない。
【００２１】
【発明の実施の形態】
以下、本発明の実施の形態を図面に沿って説明する。この実施形態では生化学分析装置による自動分析装置の例であり、図１は一実施形態の生化学分析装置の概略機構を示す部分断面正面図、図２は生化学分析装置の要部機構の平面図、図３は手動測定モードに切り替えた状態の部分断面正面図、図４は消耗品搭載モードに切り替えた状態の平面図、図５は装置に設置された操作パネルの正面図、図６はテンキー配列を切り替えた状態の操作パネルの正面図である。
【００２２】
図１および図２により生化学分析装置１の全体構成を説明する。この生化学分析装置１は、サンプルトレイ２、点着部３、第１のインキュベータ４、第２のインキュベータ５、点着機構６、不図示の素子搬送機構、移送機構８、チップ廃却部９、素子廃却機構１０などを備えてなる。
【００２３】
サンプルトレイ２は円形で、検体を収容した検体容器１１、未使用の乾式分析素子１２（比色タイプの乾式分析素子および電解質タイプの乾式分析素子）を収容した素子カートリッジ１３、消耗品（ノズルチップ１４、希釈液容器１５、混合カップ１６および参照液容器１７）を搭載する。なお、検体容器１１は検体アダプタ１８を介して搭載され、ノズルチップ１４はチップラック１９に多数収納されて搭載される。
【００２４】
点着部３は、サンプルトレイ２の中心線の延長上に配置され、搬送された乾式分析素子１２に血漿、全血、血清、尿などの検体の点着が行われるもので、点着機構６によって比色測定タイプの乾式分析素子１２には検体を、電解質タイプの乾式分析素子１２には検体と参照液を点着する。この点着部３に続いてノズルチップ１４が廃却されるチップ廃却部９が配置されている。
【００２５】
第１のインキュベータ４は円形で、チップ廃却部９の延長位置に配置され、比色タイプの乾式分析素子１２を収容して所定時間恒温保持し、比色測定を行う。第２のインキュベータ５（図２参照）は、点着部３の側方における隣接位置に配設され、電解質タイプの乾式分析素子１２を収容して所定時間恒温保持し、電位差測定を行う。
【００２６】
不図示の素子搬送機構は、前記サンプルトレイ２の内部に配設され、このサンプルトレイ２の中心と第１のインキュベータ４の中心とを結び、点着部３およびチップ廃却部９を通る直線状の素子搬送経路Ｒ（図２）に沿って、乾式分析素子１２をサンプルトレイ２から点着部３へ、さらに第１のインキュベータ４へ搬送する素子搬送部材（搬送バー）を備える。移送機構８は点着部３を兼ねて設置され、点着部３から第２のインキュベータ５へ、素子搬送経路Ｒと直交する方向に、電解質タイプの乾式分析素子１２を移送する。
【００２７】
点着機構６は上部に配設され、昇降移動する点着ノズル４５が前述の素子搬送経路Ｒと同一直線上を移動し、検体および参照液の点着、希釈液による検体の希釈混合を行う。点着ノズル４５は、先端にノズルチップ１４を装着し、該ノズルチップ１４内に検体、参照液等を吸引し吐出するもので、その吸引吐出を行う不図示のシリンジ手段が付設され、使用後のノズルチップ１４はチップ廃却部９で外されて落下廃却される。
【００２８】
素子廃却機構１０（図２参照）は第１のインキュベータ４に付設され、測定後の比色タイプの乾式分析素子１２を第１のインキュベータ４の中心部に押し出して落下廃棄する。なお、上記素子搬送機構によって廃却することもできる。また、第２のインキュベータ５で測定した後の電解質タイプの乾式分析素子１２は、前記移送機構８によって廃却穴６９に廃棄される。
【００２９】
また、サンプルトレイ２の近傍には、血液から血漿を分離する不図示の血液濾過ユニットが設置されている。
【００３０】
各部の機構を具体的に説明する。まず、サンプルトレイ２は、正転方向および逆転方向に回転駆動される円盤状の回転ディスク２１と、その中央部の円盤状の非回転部２２とを有する。
【００３１】
回転ディスク２１には、図２に示すように、各検体を収容した採血管等の検体容器１１を検体アダプタ１８を介して保持するＡ〜Ｅの５つの検体搭載部２３と、これに隣接して各検体の測定項目に対応して通常複数の種類が必要とされる未使用の乾式分析素子１２を積み重ねた状態で収容した素子カートリッジ１３を保持する５つの素子搭載部２４と、多数のノズルチップ１４を保持孔に並んで収容したチップラック１９を保持する２つのチップ搭載部２５と、希釈液を収容した３つの希釈液容器１５を保持する希釈液搭載部２６と、希釈液と検体とを混合するための混合カップ１６（多数のカップ状凹部が配置された成形品）を保持するカップ搭載部２７とが円弧状に配置されている。
【００３２】
また、非回転部２２には、素子搬送経路Ｒの延長上で点着ノズル４５の移動範囲に、参照液を収容した参照液容器１７を保持する筒状の参照液搭載部２８を備え、この参照液搭載部２８には、参照液容器１７の開口部を開閉する蒸発防止蓋３５（図１）が設置されている。
【００３３】
蒸発防止蓋３５は、下端が非回転部２２に揺動可能に枢支された揺動部材３７に保持され、閉方向に付勢されている。揺動部材３７の上端係止部３７ａが点着機構６の移動フレーム４２の下端角部４２ａと当接可能であり、参照液の吸引時に近接移動した移動フレーム４２により揺動部材３７が開方向に揺動され、蒸発防止蓋３５が参照液容器１７を開口して点着ノズル４５による参照液吸引が可能となる。その他の状態では蒸発防止蓋３５が参照液容器１７の開口部を閉塞して参照液の蒸発を防止し、その濃度変化による測定精度の低下を阻止する。
【００３４】
前記回転ディスク２１は、外周部が支持ローラ３１で支持され、中心部が不図示の支持軸に回転自在に保持されている。また、回転ディスク２１の外周には、不図示のタイミングベルトが巻き掛けられ、駆動モータによって正転方向または逆転方向に回転駆動される。非回転部２２は上記支持軸に回転不能に取り付けられている。
【００３５】
前記素子カートリッジ１３は、上方から未使用の乾式分析素子１２が混在状態で通常複数枚重ねられて挿入され、前記素子搭載部２４に装填されると、素子搬送面と同一高さに最下端部の乾式分析素子１２が位置し、最下端部の前面側には１枚の乾式分析素子１２のみが通過し得る開口が、後面側には素子搬送部材が挿通可能な開口が形成されている。なお、乾式分析素子１２の下面に付設されたバーコード等によるロット番号などが素子カートリッジ１３の下方から読み取れるように底面に窓部が形成されている。
【００３６】
また、前記検体アダプタ１８は筒状に形成され、上部から検体容器１１が挿入される。この検体アダプタ１８は、不図示の識別部を有し、検体の種類（処理情報）、検体容器１１の種類（サイズ）等の情報が設定され、測定の初期時点でサンプルトレイ２の外周部に配設された識別センサ３０（図２）によってその識別が読み取られ、検体の希釈の有無、血漿濾過の有無などが判別されると共に、検体容器１１のサイズに伴う液面変動量が算出され、それに応じた処理制御が行われる。血漿濾過が必要な検体容器１１に対しては、アダプタ１８に検体容器１１を挿入した上に、濾過フィルターを備えたホルダーがスペーサ（いずれも不図示）を介して装着される。
【００３７】
点着部３および移送機構８は、サンプルトレイ２と第１のインキュベータ４との間に素子搬送経路Ｒと直交する方向に長い支持台６１を備え、その上に移動可能に摺動枠６２が設置されている。この摺動枠６２には、点着用開口が形成された第１素子押え６３および第２素子押え６４が隣接して一体に移動可能に装着されている。第１素子押え６３（第２素子押え６４も同様）は、支持台６１に面する底面に、前記素子移動経路Ｒに沿って乾式分析素子１２が通過する凹部を有する。また、摺動枠６２は、一端部がガイドバー６５に案内され、他端部側の長溝６２ａにピン６６が係合され、さらに、ラックギヤ６２ｂに駆動モータ６８の駆動ギヤ６７が噛合して移動される。支持台６１には、第２のインキュベータ５および廃却穴６９が設置されている。
【００３８】
そして、図２のように、第１素子押え６３が点着部３に位置している際には、点着後の比色タイプの乾式分析素子１２は素子搬送機構によって押し出されて第１のインキュベータ４に移送される。一方、電解質タイプの乾式分析素子１２への点着が行われると、摺動枠６２が移動されて点着後の乾式分析素子１２は第１素子押え６３に保持されたまま支持台６１上を滑るように第２のインキュベータ５に移送され、電位差測定が行われる。その際には、第２素子押え６４が点着部３（点着位置）に移動し、その後に搬送される比色タイプの乾式分析素子１２に対する検体の点着および第１のインキュベータ４への搬送が可能である。第２のインキュベータ５での測定が完了すると、摺動枠６２がさらに移動されて測定後の乾式分析素子１２を廃却穴６９に移送して落下廃却する。
【００３９】
なお、比色タイプの乾式分析素子１２を搬送する際には第２素子押え６４を点着部３に移動させておき、電解質タイプの乾式分析素子１２が搬送されるときのみ、第１素子押え６３を点着部３に移動させるようにしてもよい。
【００４０】
点着機構６（図１）は、固定フレーム４０の水平ガイドレール４１に、横方向に移動可能に保持された移動フレーム４２を備え、この移動フレーム４２に昇降移動可能に２本の点着ノズル４５が設置されている。移動フレーム４２には中央に縦ガイドレール４３が固着され、この縦ガイドレール４３の両側に２つのノズル固定台４４が摺動自在に保持されている。ノズル固定台４４の下部には、それぞれ点着ノズル４５の上端部が固着され、上部に上方に延びる軸状部材が駆動伝達部材４７に挿通されている。ノズル固定台４４と駆動伝達部材４７との間に介装された圧縮バネにより、ノズルチップ１４の嵌合力を得るようになっている。ノズル固定台４４は駆動伝達部材４７と一体に上下移動可能であると共に、点着ノズル４５の先端部にノズルチップ１４を嵌合する際に、圧縮バネの圧縮でノズル固定台４４に対して駆動伝達部材４７が下降移動可能である。上記駆動伝達部材４７は、上下のプーリ４９に張設されたベルト５０に固定され、不図示のモーターによるベルト５０の走行に応じて上下移動する。なお、ベルト５０の外側部位には、バランスウェイト５１が取り付けられ、非駆動時の点着ノズル４５の下降移動が防止される。
【００４１】
また、移動フレーム４２は不図示のベルト駆動機構によって横方向に駆動され、２つのノズル固定台４４は独自に上下移動するように、その横移動および上下移動が制御され、２つの点着ノズル４５は、一体に横移動すると共に、独自に上下移動するようになっている。例えば、一方の点着ノズル４５は検体用であり、他方の点着ノズル４５は希釈液用および参照液用である。
【００４２】
両点着ノズル４５は棒状に形成され、内部に軸方向に延びるエア通路が設けられ、下端にはピペット状のノズルチップ１４がシール状態で嵌合される。この点着ノズル４５にはそれぞれ不図示のシリンジポンプ等に接続されたエアチューブが連結され、吸引・吐出圧が供給される。また、この吸引圧力の変化に基づき検体等の液面検出が行えるようになっている。
【００４３】
チップ廃却部９は、搬送経路Ｒを上下方向に交差して設けられ、上部材８１および下部材８２を備える。このチップ廃却部９における支持台６１には、楕円形に開口された落下口８３が形成されている。上部材８１は支持台６１の上面に固着され、落下口８３の直上部位には係合切欠き８４が設けられ、下部材８２は支持台６１の下面に落下口８３の下方を囲むように筒状に形成され、落下するノズルチップ１４をガイドするようになっている。
【００４４】
そして、ノズルチップ１４が装着されている点着ノズル４５を、上部材８１内に下降させてから横方向に移動させ、その係合切欠き８４にノズルチップ１４の上端を係合してから、点着ノズル４５を上昇移動させてノズルチップ１４を抜き取り、外れたノズルチップ１４は落下口８３を通して落下廃却される。
【００４５】
比色測定を行う第１のインキュベータ４は、外周部に円環状の回転部材８７を備え、この回転部材８７は内周下部に固着された傾斜回転筒８８が下部のベアリング８９に支持されて回転自在である。回転部材８７の上部に上位部材９０が一体に回転可能に配設されている。上位部材９０の底面は平坦であり、回転部材８７の上面には円周上に所定間隔で複数（図１の場合１３個）の凹部が形成されて両部材８７，９０間にスリット状空間による素子室９１が形成され、この素子室９１の底面の高さは搬送面の高さと同一に設けられている。また、傾斜回転筒８８の内孔は測定後の乾式分析素子１２の廃却孔９２に形成され、素子室９１の乾式分析素子１２がそのまま中心側に移動されて落下廃却される。
【００４６】
上位部材９０には図示しない加熱手段が配設され、その温度調整によって素子室９１内の乾式分析素子１２を所定温度に恒温保持する。また上位部材９０には素子室９１に対応して乾式分析素子１２のマウントを上から押えて検体の蒸発防止を行う不図示の押え部材が配設されている。上位部材９０の上面には保温カバー９４が配設される一方、この第１のインキュベータ４は全体が遮光カバー９５によって覆われる。さらに、回転部材８７の各素子室９１の底面中央には測光用の開口９１ａが形成され、この開口９１ａを通して図１に示す位置に配設された測光ヘッド９６による乾式分析素子１２の反射光学濃度の測定が行われる。第１のインキュベータ４の回転駆動は、不図示のベルト機構により行われ、往復回転駆動される。
【００４７】
廃却機構１０は、外周側から中心方向に素子室９１内に進退移動する廃却バー１０１を備えている。この廃却バー１０１は後端部が水平方向に走行するベルト１０２に固定され、駆動モータ１０３の駆動によるベルト１０２の走行に応じ、素子室９１から測定後の乾式分析素子１２を押し出して廃却する。なお、廃却孔９２の下方には測定後の乾式分析素子１２を回収する回収箱が配設される。
【００４８】
また、イオン活量を測定する第２のインキュベータ５は、前述の摺動枠６２の第１素子押え６３が上位部材となり、その底部の凹部によって測定本体９７の上面との間に１つの素子室が形成される。この第２のインキュベータ５には、図示しない加熱手段が配設され、その温度調整によって乾式分析素子１２のイオン活量を測定する部分を所定温度に恒温加熱する。さらに、測定本体９７の側辺部にはイオン活量測定のための３対の電位測定用プローブ９８が出没して乾式分析素子１２のイオン選択電極に接触可能に設けられている。
【００４９】
なお、不図示の血漿濾過ユニットは、サンプルトレイ２に保持された検体容器１１（採血管）の内部に挿入され上端開口部に取り付けられたガラス繊維からなるフィルターを有する不図示のホルダーを介して血液から血漿を分離吸引し、ホルダー上端のカップ部に濾過された血漿を保持するようになっている。
【００５０】
そして、上記のような生化学分析装置１では、後述の操作パネル７（図５）における手動キー７６の操作によって自動測定モードと手動測定モードとに切り替えられるとともに、消耗品キー７５の操作により消耗品搭載モードに切り替え可能である。
【００５１】
上記自動測定モードは、サンプルトレイ２に搭載した検体を点着機構６により自動的に乾式分析素子１２に点着して前記検体の成分を測定するものである。この自動測定モードでは、点着機構６は点着部３の上方からサンプルトレイ２の上方位置へと前述のように移動可能であり、測定開始時の初期待機状態では点着機構６（移動フレーム４２）は図１に示すように点着部３の上方に位置している。
【００５２】
一方、手動キー７６の操作によって切り替えられた手動測定モードは、不図示の点着用ピペットを用いて検体を乾式分析素子１２に手操作で点着し、以降は同様に測定するものである。この手動測定モードでは、図３に示すように、自動測定モードで使用する点着機構６（移動フレーム４２）は、点着部３の上方位置から側方のサンプルトレイ２の上方位置へ、手動操作の妨げにならない待避位置へ移動するよう、その作動が制御されるようになっている。なお、点着機構６は図３の状態よりさらにサンプルトレイ２上へ移動させるようにしてもよい。
【００５３】
さらに、消耗品キー７５の操作により切り替えられた消耗品搭載モードは、上記のような自動測定および手動測定によって、サンプルトレイ２に搭載された消耗品１４〜１７を使用しつつ点着機構６により検体を乾式分析素子１２に点着して測定を行うことにより、サンプルトレイ２に搭載された消耗品１４〜１７が減少もしくは無くなった際に、その消耗品を補充搭載する、または初期搭載するものである。この消耗品搭載モードになったとき、サンプルトレイ２は、図４に示すように、消耗品搭載部２５〜２７が機器の開放部位、図の場合は下方が装置前面であり、この前面側開放部位へ移動するよう、その作動が制御されるようになっている。
【００５４】
なお、測定開始時の初期待機状態では、サンプルトレイ２は図２に示すように、複数の検体搭載部２３および素子搭載部２４が装置前面の開放部位にあり、消耗品搭載部２５〜２７が図上方の奥部側に位置している。
【００５５】
次に、図５は上記のような生化学分析装置１に設置されている操作パネル７の正面図である。この操作パネル７（インターフェース）は、パネル７０に表示画面７１、スタートキー７２、ストップキー７３、検体キー７４、消耗品キー７５、手動キー７６、緊急キー７７、キャリブレーションキー７８、テンキー７９など、指先で押して各種の指示操作を行う操作キーが配設されている。
【００５６】
この操作パネル７は、不図示の制御系に接続され、そこに登録されている制御プログラムに基づく測定処理が設定され、自動的に自動測定動作、手動測定動作、緊急測定動作、キャリブレーション動作、消耗品搭載動作などが選択実行されるようになっている。
【００５７】
例えば、多検体の自動測定は、測定する複数の検体容器１１をサンプルトレイ２のＡ〜Ｅの各検体搭載部２３にセットし、操作パネル７のスタートキー７２を押すと、Ａの検体から順番に測定が開始され、乾式分析素子１２の搬送、検体点着、インキュベーション、測光などの一連の測定動作が自動的に行われる。検体がセットされたものが順次測定され、測定結果が出力される。
【００５８】
手動測定は、操作パネル７のスタートキー７２を押すと、乾式分析素子１２が点着部に３に搬送され、手操作で検体容器１１から測定する検体を点着用ピペットにより吸引し乾式分析素子１２へ点着した後は、同様の測定動作が自動的に行われ、測定結果が出力される。
【００５９】
そして、上記操作パネルに設置されたテンキー７９は、電卓タイプ配列と、電話機タイプ配列とに変更可能である。図５におけるテンキー配列は電話機タイプ配列であり、図６は電卓タイプ配列である。その変更は、それぞれの配列に応じてテンキー７９のキー番号表示が異なるパッドを交換し、または、画面表示方式の場合には画面を切り換え、制御系における入力モードを切り替えることによって行える。
【００６０】
上記テンキー配列の切り替えは、ユーザーの要望に応じて行われ、操作者が使い慣れているキー配列に配置することで、入力が正確にかつ迅速に行うことができるようになる。
【図面の簡単な説明】
【図１】本発明の一実施形態の生化学分析装置の概略構成を示す部分断面正面図
【図２】生化学分析装置の要部機構の平面図
【図３】手動測定モードに切り替えた状態の部分断面正面図
【図４】消耗品搭載モードに切り替えた状態の平面図
【図５】装置に設置された操作パネルの正面図
【図６】テンキー配列を切り替えた状態の操作パネルの正面図
【符号の説明】
１    自動分析装置（生化学分析装置）
２    サンプルトレイ
３    点着部
６    点着機構
７    操作パネル
１１    検体容器
１２    乾式分析素子
１４〜１７    消耗品
２５〜２７    消耗品搭載部
【図１】
2004286469.tif 000003
【図２】
2004286469.tif 000004
【図３】
2004286469.tif 000005
【図４】
2004286469.tif 000006
【図５】
2004286469.tif 000007
【図６】
2004286469.tif 000008